(57)【特許請求の範囲】
【請求項１】
遊技に関する動作を制御するための制御基板を収容するための基板ケース、または、遊技に関する動作を制御するための制御基板に実装された実装素子に貼り付けられて、上記基板ケースの開放または上記実装素子の交換を禁止するための封印シールであって、
一方面に粘着面を有するシールフィルムと、
金属膜をコイル状に形成したループアンテナからなるアンテナ、所定の検査装置からの予め定めるデータの受信に応答して返信すべきセキュリティデータを保持したデータ保持装置、ならびに、上記アンテナから引き出されて上記アンテナと上記データ保持装置とを電気的および物理的に接続する接続部を有し、上記シールフィルム上に配置されて上記検査装置との間で無線データ通信を行う無線通信装置とを含み、
上記アンテナは上記粘着面に貼着され、上記データ保持装置と上記粘着面との間には上記粘着面上に貼着されたシート片が介装されており、上記アンテナおよびデータ保持装置の表面には、上記シールフィルムの粘着面よりも粘着力が小さい粘着層が形成されていることを特徴とする封印シール。
【請求項２】
遊技に関する動作を制御するための制御基板を収容するための基板ケース、または、遊技に関する動作を制御するための制御基板に実装された実装素子に貼り付けられて、上記基板ケースの開放または上記実装素子の交換を禁止するための封印シールであって、
一方面に粘着面を有するシールフィルムと、
金属膜をコイル状に形成したループアンテナからなるアンテナ、所定の検査装置からの予め定めるデータの受信に応答して返信すべきセキュリティデータを保持したデータ保持装置、および、上記アンテナから引き出されて上記アンテナと上記データ保持装置との接続を達成する接続部を有し、上記シールフィルム上に配置されて上記検査装置との間で無線データ通信を行う無線通信装置とを含み、
上記アンテナおよび上記データ保持装置は、上記粘着面に貼着されており、
上記データ保持装置の表面は、被覆膜で被覆されており、上記アンテナおよび被覆膜の表面には、上記シールフィルムの粘着面よりも粘着力が大きい粘着層が形成されていることを特徴とする封印シール。
【請求項３】
上記データ保持装置は、上記アンテナのループ外に配置され、
上記接続部は、上記アンテナからループ外に引き出されていることを特徴とする請求項１または２記載の封印シール。
【請求項４】
上記データ保持装置は、上記アンテナのループ内に配置され、
上記接続部は、上記アンテナからループ内に引き出されていることを特徴とする請求項１または２記載の封印シール。
【発明の詳細な説明】
【０００１】
【発明の属する技術分野】
この発明は、たとえばスロットマシンやパチンコ機などの遊技機に適用される封印シールに関する。
【０００２】
【従来の技術】
スロットマシンやパチンコ機などの遊技機には、ＣＰＵやＲＯＭなどを実装してなる制御基板が備えられており、遊技機における遊技動作は、制御基板に実装されたＣＰＵがＲＯＭに記録されているプログラムに基づく制御を行うことにより実現される。したがって、遊技機における遊技の内容は、ＲＯＭに記録されているプログラムで決まる。
【０００３】
そのため、制御基板に実装されたＲＯＭが、遊技客が多量のメダルや遊技球を獲得できるようなプログラム、または、遊技店の利益を増大させることができるようなプログラムが記録された不正ＲＯＭ（いわゆる裏ＲＯＭ）に交換されることがある。また、ＲＯＭに記録されている正規のプログラムが、上記のような不正プログラムに書き換えられることがある。
【０００４】
このような不正行為を容易に発見するために、従来のスロットマシンでは、上記ＲＯＭが実装された制御基板はケース本体とケース蓋とからなる基板ケース内に収納されており、ケース本体とケース蓋とには、剥離痕跡を残すことができる封印シールが跨って貼り付けられている。
【０００５】
【発明が解決しようとする課題】
ところが、最近では、剥離痕跡を残さずに封印シールを剥がすことができる方法が知られており、基板ケースに封印シールが貼り付けられていても、剥離痕跡を残さないように封印シールが剥がされて、不正プログラムへの書換や不正ＲＯＭへの交換が行われることがある。また、目視では識別不可能なくらいに封印シールが巧妙に切断されて、不正プログラムへの書換や不正ＲＯＭへの交換が行われることがある。このような場合、不正行為を発見することが困難であった。
【０００６】
そこで、この発明の目的は、不正プログラムへの書換えや不正ＲＯＭへの交換などの不正行為を容易に発見できる封印シールを提供することである。
【０００７】
【課題を解決するための手段および発明の効果】
上記の目的を達成するための請求項１記載の発明は、遊技に関する動作を制御するための制御基板を収容するための基板ケース、または、遊技に関する動作を制御するための制御基板に実装された実装素子に貼り付けられて、上記基板ケースの開放または上記実装素子の交換を禁止するための封印シールであって、一方面に粘着面を有するシールフィルムと、金属膜をコイル状に形成したループアンテナからなるアンテナ、所定の検査装置からの予め定めるデータの受信に応答して返信すべきセキュリティデータを保持したデータ保持装置、ならびに、上記アンテナから引き出されて上記アンテナと上記データ保持装置とを電気的および物理的に接続する接続部を有し、上記シールフィルム上に配置されて上記検査装置との間で無線データ通信を行う無線通信装置とを含み、上記アンテナは上記粘着面に貼着され、上記データ保持装置と上記粘着面との間には上記粘着面上に貼着されたシート片が介装されており、上記アンテナおよびデータ保持装置の表面には、上記シールフィルムの粘着面よりも粘着力が小さい粘着層が形成されていることを特徴とする封印シールである。
【００１１】
請求項１記載の発明によれば、基板ケースまたは実装部材に貼り付けられた封印シールを無理に剥がそうとすると、封印シールは、シールフィルムの粘着面と粘着層との間の粘着力がアンテナやデータ保持装置などが介在されていることにより弱められているため、シールフィルムと粘着層との間で分離する。そして、粘着層側は基板ケースまたは実装部材に残り、シールフィルム側のみが基板ケースまたは実装部材から剥離される。シールフィルムの粘着面の粘着力は粘着層の粘着力よりも大きいので、アンテナおよびシート片はシールフィルムの粘着面に粘着して剥がれるが、シート片上に設けられたデータ保持装置は粘着層に残る。そのため、データ保持装置とアンテナとの接続部が切断されて、データ保持装置とアンテナとが電気的および物理的に分離する。
【００１２】
これにより、基板ケース内に収容されている制御基板やこの制御基板に実装されているＲＯＭなどの実装素子の不正交換を、所定の検査装置を用いて容易に発見することができる。すなわち、基板ケースから一旦剥がされた封印シールが、目視では識別不可能なほど巧妙に再び貼り直されていても、上記したようにデータ保持装置とアンテナとの間の接続部で断線が生じているので、所定の検査装置から予め定めるデータを送信しても、貼り直された封印シールからセキュリティデータが返信されてくることはない。したがって、この場合、制御基板に実装されたＲＯＭの不正交換などが行われた可能性があると判断できる。
【００１３】
一方、封印シールからセキュリティデータが返信されてきた場合には、封印シールが剥がされてはおらず、制御基板に実装されたＲＯＭの不正交換などが行われていないと判断できる。
請求項２記載の発明は、遊技に関する動作を制御するための制御基板を収容するための基板ケース、または、遊技に関する動作を制御するための制御基板に実装された実装素子に貼り付けられて、上記基板ケースの開放または上記実装素子の交換を禁止するための封印シールであって、一方面に粘着面を有するシールフィルムと、金属膜をコイル状に形成したループアンテナからなるアンテナ、所定の検査装置からの予め定めるデータの受信に応答して返信すべきセキュリティデータを保持したデータ保持装置、および、上記アンテナから引き出されて上記アンテナと上記データ保持装置との接続を達成する接続部を有し、上記シールフィルム上に配置されて上記検査装置との間で無線データ通信を行う無線通信装置とを含み、上記アンテナおよび上記データ保持装置は、上記粘着面に貼着されており、上記データ保持装置の表面は、被覆膜で被覆されており、上記アンテナおよび被覆膜の表面には、上記シールフィルムの粘着面よりも粘着力が大きい粘着層が形成されていることを特徴とする封印シールである。
【００１４】
請求項２記載の発明によれば、基板ケースまたは実装部材に貼り付けられた封印シールを無理に剥がそうとすると、封印シールは、シールフィルムの粘着面と粘着層との間の粘着力がアンテナやデータ保持装置などが介在されていることにより弱められているため、シールフィルムと粘着層との間で分離する。この封印シールでは、シールフィルムの粘着面の粘着力よりも粘着層の粘着力の方が大きいので、アンテナおよび被覆膜は粘着層に残るが、被覆膜で被覆されたデータ保持装置はシールフィルムの粘着面に貼着して剥がされる。そのため、データ保持装置とアンテナとの間の接続部が切断されて、データ保持装置とアンテナとが電気的および物理的に分離する。
【００１５】
ゆえに、この請求項２の構成によっても、請求項１と同様な効果を奏することができる。
また、データ保持装置は、請求項３のようにアンテナのループ外に配置されていてもよいし、請求項４のようにアンテナのループ内に配置されていてもよい。
【００１６】
【発明の実施の形態】
以下では、この発明の実施の形態を、添付図面を参照して詳細に説明する。
図１は、この発明の一実施形態に係る封印シールが適用されたスロットマシンの正面図である。このスロットマシンの機体は、箱型の機体本体およびこの機体本体の前面に開閉可能に取り付けられた機体扉１０からなり、機体扉１０の前面には、リール表示窓１１、メダル投入口１２、始動レバー１３および３個の停止釦スイッチ１４，１５，１６が配設されている。
【００１７】
リール表示窓１１内には、３個のリールＲ１，Ｒ２，Ｒ３の周面の一部が視認可能に配置されており、リールＲ１，Ｒ２，Ｒ３の回転中は、その回転状態をリール表示窓１１から視認できるようになっている。リールＲ１，Ｒ２，Ｒ３の周面には、それぞれ複数種類の図柄が表示されており、リールＲ１，Ｒ２，Ｒ３の回転中は、それぞれの周面に表示された図柄がリール表示窓１１内に次々に現れる。そして、リールＲ１，Ｒ２，Ｒ３を停止させると、各リールＲ１，Ｒ２，Ｒ３のたとえば３コマ分の図柄が中、上、下、斜めの各停止ラインＬ１，Ｌ２，Ｌ３，Ｌ４，Ｌ５上に整列して並ぶ。
【００１８】
このスロットマシンにおいて遊技を行う際には、まず、メダル投入口１２からメダルを投入する。メダル投入口１２からメダルが投入されると、その投入枚数に応じた本数の停止ラインが有効化される。たとえば、１枚のメダルが投入されたときは１本の停止ラインＬ１が有効化され、２枚のメダルが投入されたときは３本の停止ラインＬ１〜Ｌ３が有効化され、３枚のメダルが投入されたときは５本の停止ラインＬ１〜Ｌ５が有効化される。こうして有効な停止ラインを決定した後、始動レバー１３を操作すると、リールＲ１，Ｒ２，Ｒ３が一斉に回転開始される。そして、停止釦スイッチ１４，１５，１６を押すと、回転中のリールＲ１，Ｒ２，Ｒ３が、押された停止釦スイッチに対応するリールから順に停止されていく。３つのリールＲ１，Ｒ２，Ｒ３がすべて停止した時点で、有効化された停止ライン上に整列した図柄の組み合わせが予め定める入賞にかかるものであれば、入賞の種類ごとに定められた所定の枚数のメダルが、機体扉１０の下方部に設けられたメダル払出口１７からメダル受皿１８に払い出される。
【００１９】
図２は、このスロットマシンの機体本体の内部構成を示す正面図である。機体本体２０の内部は、図１に示す機体扉１０を開放することによって露呈する。
機体本体２０の内部には、３個のリールＲ１，Ｒ２，Ｒ３がほぼ中央に配置されている。３個のリールＲ１，Ｒ２，Ｒ３の下方には、機内に投入されたメダルを貯留しておくためのメダルホッパ３１が配設されている。このメダルホッパ３１には、機体扉１０に形成されたメダル投入口１２（図１参照）から投入されたメダルが、機体扉１０の裏面（内側の面）に設けられたメダル通路（図示せず）を通って取り込まれるようになっている。
【００２０】
メダルホッパ３１の下方には、メダルホッパ３１内に貯留されたメダルをメダル払出口１７（図１参照）に送り出すためのメダル送出装置３２が設けられている。メダル送出装置３２は、たとえば、有効化された停止ラインＬ１〜Ｌ５上に入賞にかかる図柄の組み合わせが整列したときや、このスロットマシンが所定枚数（たとえば５０枚）のメダルを預けることができるように構成されている場合には、上記所定枚数より多くメダルが投入（預入）されたときに、払い出すべき枚数のメダルをメダル払出口１７に向けて送り出す。
【００２１】
一方、３個のリールＲ１，Ｒ２，Ｒ３の上方には、ケース取付用部材４０が固定配置されており、ケース取付用部材４０には、このスロットマシンにおける遊技の基本となる動作を制御するためのメイン制御基板を収容した基板ケース５０が取り付けられている。
図３は、基板ケース５０の構成を部分的に示す断面図である。基板ケース５０は、ケース取付用部材４０に取り付けられるケース本体５１と、このケース本体５１に固定されたケース蓋５２とからなる。ケース本体５１およびケース蓋５２は、いずれも、たとえばＡＢＳ樹脂（アクリロニトリル−ブタジエン−スチレン樹脂）などの合成樹脂の一体成形品である。
【００２２】
ケース本体５１は、略矩形状の底板５１１と、この底板５１１の周縁から立ち上がった側壁５１２とを有しており、底板５１１に対向する面は開放面となっている。
一方、ケース蓋５２は、平面視においてケース本体５１の底板５１１とほぼ同じ面積を有する略矩形状の平板である。ケース蓋５２は、ケース本体５１１の開放面を閉塞するようにケース本体５１に固定されており、ケース本体５１とともに、上記メイン制御基板を収容するための基板収容空間を形成している。また、ケース蓋５２の表面側の周縁部５２ａは、ケース蓋５２の表面と側面とを滑らかに連続させる曲面になっている。
【００２３】
基板ケース５０には、ケース本体５１とケース蓋５２とに跨って、予め定めるセキュリティデータを保持したＲＦＩＤ（Radio Frequency Identification）シール６０が貼り付けられている。このＲＦＩＤシール６０に保持されたセキュリティデータは、ＲＦＩＤシール６０との間で無線によるデータ送受信が可能なＲＦＩＤ検査機７０から所定のデータ（アクセスデータ）を送信することにより、ＲＦＩＤシール６０から読み出すことができるようになっている。
【００２４】
図４は、ＲＦＩＤシール６０の構成を示す平面図であり、図５は、その断面図である。ＲＦＩＤシール６０は、たとえばポリエチレンフィルムなどの合成樹脂からなる薄いシールフィルム６１と、このシールフィルム６１の一方面に配置されたＩＣチップ６３および送受信アンテナ６４とを備えている。
シールフィルム６１は、平面形状が略長方形状に形成されている。シールフィルム６１の一方面には、接着剤が塗布されることによって第１粘着層６２が形成されており、この第１粘着層６２上にＩＣチップ６３および送受信アンテナ６４が配置されている。
【００２５】
ＩＣチップ６３は、図３に示すＲＦＩＤ検査機７０との間におけるデータ通信を制御するためのものであり、内蔵された情報記憶部（後述する）には、上記セキュリティデータが格納されている。送受信アンテナ６４は、たとえば銅からなる金属膜をコイル状に形成したループアンテナであり、そのループ外に両端が引き出されてＩＣチップ６３に接続されている。
【００２６】
ＩＣチップ６３と第１粘着層６２との間には、たとえばポリエチレンフィルムなどの合成樹脂からなるシート片６５が介装されている。一方、送受信アンテナ６４は、第１粘着層６２が有する粘着力により、第１粘着層６２の表面に直接に貼着されている。また、ＩＣチップ６３および送受信アンテナ６４の表面には、第１粘着層６２を構成する接着剤よりも粘着力の小さい接着剤を塗布することにより、第２粘着層６６が形成されている。
【００２７】
ＲＦＩＤシール６０は、第２粘着層６６およびこの第２粘着層６６から露出している第１粘着層６２の粘着力により、上述したように基板ケース５０（図３参照）に貼り付けられる。この基板ケース５０に貼り付けられたＲＦＩＤシール６０を無理に剥がそうとすると、ＲＦＩＤシール６０は、第１粘着層６２と第２粘着層６６との間の粘着力がＩＣチップ６３などが介在されていることにより弱められているため、第１粘着層６２と第２粘着層６６との間で分離する。そして、第２粘着層６６側は基板ケース５０に残り、第１粘着層６２側のみが基板ケース５０から剥離される。第１粘着層６２の粘着力は第２粘着層６６の粘着力よりも大きいので、送受信アンテナ６４およびシート片６５は第１粘着層６２に粘着して剥がれるが、シート片６５の表面に設けられたＩＣチップ６３は第２粘着層６６に残る。そのため、ＩＣチップ６３と送受信アンテナ６４との接続部分６７が切断されて、ＩＣチップ６３と送受信アンテナ６４とが電気的および物理的に分離する。
【００２８】
以上の構成により、基板ケース５０内に収容されているメイン制御基板やこのメイン制御基板に実装されているＲＯＭなどの不正交換を、ＲＦＩＤ検査機７０を用いて容易に発見することができる。すなわち、基板ケース５０から一旦剥がされたＲＦＩＤシール６０が、目視では識別不可能なほど巧妙に再び貼り直されていても、上記したようにＩＣチップ６３と送受信アンテナ６４との間で断線が生じているので、ＲＦＩＤ検査機７０から上記アクセスデータを送信しても、貼り直されたＲＦＩＤシール６０から上記セキュリティデータは返信されない。したがって、この場合、基板ケース５０が開封されて、メイン制御基板に実装されたＲＯＭの不正交換などが行われた可能性があると判断できる。
【００２９】
一方、ＲＦＩＤ検査機７０からＲＦＩＤシール６０に向けて上記アクセスデータを送信し、このアクセスデータの送信に応答して上記セキュリティデータが返信されてきた場合には、ＲＦＩＤシール６０が貼着された基板ケース５０は開封されておらず、基板ケース５０内に収容されているメイン制御基板に実装されたＲＯＭの不正交換などが行われていないと判断できる。
【００３０】
また、送受信アンテナ６４がケース本体５１とケース蓋５２とに跨るように、ＲＦＩＤシール６０を基板ケース５０に貼り付けておけば、ケース本体５１とケース蓋５２との境界に沿ってＲＦＩＤシール６０が切断されると、送受信アンテナ６４が切断されて、その後はＲＦＩＤ検査機７０とのデータ送受信が不能になる。ゆえに、ＲＦＩＤシール６０が目視で識別不可能なほど巧妙に切断されて、不正プログラムへの書換や不正ＲＯＭへの交換が行われた場合であっても、その不正行為をＲＦＩＤ検査機７０を用いて容易に発見することができる。
【００３１】
なお、上記したように、ケース蓋５２の表面側の周縁部５２ａは、ケース蓋５２の表面と側面とを滑らかに連続させる曲面になっているので、送受信アンテナ６４がケース本体５１とケース蓋５２とに跨るように、ＲＦＩＤシール６０を基板ケース５０に貼り付けても、ケース蓋５２の周縁部５２ａで送受信アンテナ６４が切断されるといったことはない。
【００３２】
図６は、ＲＦＩＤシール６０およびＲＦＩＤ検査機７０の電気的な概略構成を概念的に示すブロック図である。ＲＦＩＤシール６０は、ＲＦＩＤ検査機７０による検査に必要な第１照合データおよびセキュリティデータを保持している。
ＲＦＩＤ検査機７０は、ＲＦＩＤシール６０から受信したデータがセキュリティデータであるか否かを判定するためのデータ判定部７１と、このデータ判定部７１による判定結果を表示するための表示器７２と、このＲＦＩＤ検査機７０全体の動作を制御するためのＣＰＵ７３とを備えている。このデータ判定部７１、表示器７２およびＣＰＵ７３は、バス７４によって相互に接続されており、このバス７４には、アクセスデータおよび第２照合データが格納されたＲＯＭ７５と、ＣＰＵ７３のワークエリアとして機能するＲＡＭ７６とが接続されている。
【００３３】
図７は、ＲＦＩＤシール６０の電気的な構成を示すブロック図である。ＲＦＩＤシール６０に備えられているＩＣチップ６３には、送受信アンテナ６４で受信された変調波（受信波）を復調するための復調部６３１が備えられている。復調部６３１には、周波数発振部６３２から周波数ｆ１の基準位相信号が与えられており、復調部６３１は、送受信アンテナ６４で受波からの変調波と周波数発振部６３２からの基準位相信号とを比較して、受信した変調波に含まれている信号成分を取り出す。こうして取り出された信号成分は、フィルタ６３３で予め定める周波数帯域以外の周波数成分が除去された後、Ａ／Ｄ変換部６３４に与えられてディジタルデータ（受信データ）に変換される。
【００３４】
Ａ／Ｄ変換部６３４によるＡ／Ｄ変換後の受信データは、たとえばマイクロプロセッサからなる信号処理部６３５に与えられる。この信号処理部６３５には、たとえばＲＯＭからなる情報記憶部６３６が接続されており、この情報記憶部６３６に、第１照合データおよびセキュリティデータが格納されている。信号処理部６３５は、Ａ／Ｄ変換部６３４から受信データが与えられると、情報記憶部６３６から第１照合データを読み出して、その読み出した第１照合データと受信データとを比較し、第１照合データと受信データとが一致するか否かを判定する。
【００３５】
第１照合データは、ＲＦＩＤ検査機７０のＲＯＭ７５に記憶されているアクセスデータと同一のデータである。したがって、受信データが第１照合データと一致した場合、信号処理部６３５は、ＲＦＩＤ検査機７０からのアクセスがあったと判断する。そして、情報記憶部６３６からセキュリティデータを読み出して、その読み出したセキュリティデータを、ＲＦＩＤ検査機７０のデータ判定部７１に向けて送出すべき変調波を作成するための変調部６３７に与える。
【００３６】
変調部６３７には、周波数発振部６３８から所定周波数ｆ２の搬送波が与えられている。変調部６３７は、この周波数ｆ２の搬送波を信号処理部６３５から与えられるセキュリティデータによりＢＰＳＫ方式で変調して変調波を作成し、その作成した変調波を送信部６３９に与える。送信部６３９に与えられた変調波は、送信部６３９で適度に増幅された後、送受信アンテナ６４からＲＦＩＤ検査機７０のデータ判定部７１に向けて送出される。
【００３７】
一方、受信データと第１照合データとが一致しない場合、すなわち、受信したデータがアクセスデータでない場合には、信号処理部６３５は、正規のＲＦＩＤ検査機７０によるアクセスではないと判断して、エラーを表すデータ（エラーデータ）を変調部６３７に与える。そして、このエラーデータで周波数ｆ２の搬送波が変調されることにより変調波が作成されて、その変調波が送受信アンテナ６４から送出される。これにより、正規のＲＦＩＤ検査機７０以外の装置によって、ＲＦＩＤシール６０が保持しているセキュリティデータが読み出されることを防止できる。
【００３８】
なお、上記のエラーデータは、必ずしも送信される必要はなく、受信データと第１照合データとが一致しない場合には、このＲＦＩＤシール６０からのデータ送信が行われないようにしてもよい。
上述のようなＲＦＩＤシール６０の各部の動作は、ＲＦＩＤ検査機７０のデータ判定部７１からの受信波から作成された電力を利用して行われる。すなわち、送受信アンテナ６４には、同調用コイルを含む共振回路（図示せず）が備えられており、データ判定部７１からの電波が送受信アンテナ６４で受信されると、その受信波によって同調用コイルを貫く磁束が変化して、上記共振回路に交流電圧が発生する。そして、この発生した交流電圧は、ＩＣチップ６３に備えられたＡＣ／ＤＣコンバータ６４０で直流電圧に変換された後、レギュレータ６４１で一定電圧以下に（たとえば５ボルト以下）に降圧されて、信号処理部６３５などの各部に動作電圧として与えられる。したがって、このスロットマシンに電源が投入されていない状態でも、ＲＦＩＤシール６０とＲＦＩＤ検査機７０との間でデータの送受信を行うことができる。
【００３９】
図８は、ＲＦＩＤ検査機７０に備えられたデータ判定部７１の電気的な構成を示すブロック図である。データ判定部７１には、たとえばマイクロプロセッサからなる信号処理部７１１が備えられている。ＲＦＩＤシール６０の検査に際して、信号処理部７１１は、バス７４を介して接続されたＣＰＵ７３（図６参照）にアクセスデータを要求するコマンドを与える。すると、ＣＰＵ７３によってＲＯＭ７５からアクセスデータが読み出されて、その読み出されたアクセスデータが信号処理部７１１に入力される。
【００４０】
信号処理部７１１に入力されたアクセスデータは、ＲＦＩＤシール６０に向けて送出すべき変調波を作成するための変調部７１２に与えられる。この変調部７１２には、周波数発振部７１３から周波数ｆ１の搬送波が与えられている。変調部７１２は、この周波数ｆ１の搬送波を信号処理部７１１から与えられるアクセスデータによってＢＰＳＫ方式で変調して変調波を作成し、その作成した変調波を送信部７１４に与える。送信部７１４に与えられた変調波は、この送信部７１４で適度に増幅された後、送受信アンテナ７１５から送出される。
【００４１】
また、データ判定部７１には、送受信アンテナ７１５で受信した変調波（受信波）を復調するための復調部７１６が備えられている。復調部７１６には、周波数発振部７１７からＲＦＩＤシール６０で用いられている搬送波と同じ周波数ｆ２の基準位相信号が与えられており、復調部７１６は、送受信アンテナ７１５からの変調波と周波数発振部７１７からの基準位相信号とを比較して、受信した変調波に含まれている信号成分を取り出す。こうして取り出された信号成分は、フィルタ７１８で予め定める周波数帯域以外の周波数成分が除去された後、Ａ／Ｄ変換部７１９に与えられてディジタルデータ（受信データ）に変換される。
【００４２】
Ａ／Ｄ変換部７１９によるＡ／Ｄ変換後の受信データは、Ａ／Ｄ変換部７１９から信号処理部７１１に与えられ、さらに信号処理部７１１からバス７４を介して接続されたＣＰＵ７３に与えられる。ＣＰＵ７３は、信号処理部７１１から受信データが与えられると、ＲＯＭ７５から第２照合データを読み出して、その読み出した第２照合データと受信データとを比較し、第２照合データと受信データとが一致するか否かを判定する。
【００４３】
第２照合データは、ＲＦＩＤシール６０が保持しているセキュリティデータと同一のデータである。ＲＦＩＤシール６０は、このＲＦＩＤ検査機７０からのアクセスデータを受信したことに応答してセキュリティデータを送信するから、ＣＰＵ７３に与えられた受信データが第２照合データと一致した場合、ＣＰＵ７３は、ＲＦＩＤシール６０が正常であると判断する。そして、その旨の表示（たとえば「ＯＫ」のような文字など）を表示器７２（図６参照）に出力させる。
【００４４】
一方、ＣＰＵ７３は、受信データと第２照合データとが一致しない場合や、アクセスデータを送信したにもかかわらず、何らデータを受信しない場合には、基板ケース５０が無理に開けられるなどして、ＲＦＩＤシール６０に異常が発生していると判断し、異常が発生していることを表す表示（たとえば「受信データと第２照合データとの不一致」といった文字や、所定のエラーコード（数字）など）を表示器７２に出力させる。
【００４５】
図９は、この発明の他の実施形態に係るＲＦＩＤシールの構成を示す断面図である。この図９において、図５に示す各部に相当する部分には、同一の参照符号を付して示す。
上述した第１の実施形態に係るＲＦＩＤシール５０（図５参照）は、図３に示す基板ケース５０から剥がした場合に、送受信アンテナ６４は第１粘着層６２に粘着して剥がれ、ＩＣチップ６３は第２粘着層６６に残るようになっている。これに対し、この実施形態に係るＲＦＩＤシール８０は、基板ケース５０から剥がした場合に、ＩＣチップ６３が第１粘着層６２に粘着して剥がれ、送受信アンテナ６４が第２粘着層６６に残るようになっている。
【００４６】
具体的に説明すると、ＩＣチップ６３および送受信アンテナ６４は、第１粘着層６２が有する粘着力により、第１粘着層６２の表面に直接に貼着されている。ＩＣチップ６３の表面は、たとえばポリエチレンフィルムなどの合成樹脂からなる被覆膜８１で被覆されている。そして、このＩＣチップ６３を被覆した被覆膜８１および送受信アンテナ６４の表面に、第１粘着層６２を構成する接着剤よりも粘着力の大きい接着剤を塗布することにより、第２粘着層６６が形成されている。つまり、このＲＦＩＤシール８０は、第１粘着層６２とＩＣチップ６３との間にシート片６５が設けられていない点、ＩＣチップ６３の表面が被覆膜８１で被覆されている点、および第１粘着層６２の粘着力よりも第２粘着層６３の粘着力の方が大きい点で、上述した第１の実施形態に係るＲＦＩＤシール６０と異なる。
【００４７】
上記の構成により、基板ケース５０に貼り付けられたＲＦＩＤシール８０を無理に剥がそうとすると、ＲＦＩＤシール８０は、第１粘着層６２と第２粘着層６６との間で分離して、第２粘着層６６側は基板ケース５０に残り、第１粘着層６２側のみが基板ケース５０から剥離される。このＲＦＩＤシール８０では、第１粘着層６２の粘着力よりも第２粘着層６６の粘着力の方が大きいので、送受信アンテナ６４および被覆膜８１は第２粘着層６６に残るが、被覆膜８１で被覆されたＩＣチップ６３は第１粘着層６２に貼着して剥がされる。そのため、ＩＣチップ６３と送受信アンテナ６４との接続部分６７が切断されて、ＩＣチップ６３と送受信アンテナ６４とが電気的および物理的に分離する。
【００４８】
ゆえに、この実施形態に係るＲＦＩＤシール８０を用いた場合にも、上述の第１の実施形態に係るＲＦＩＤシール６０を用いた場合と同様な効果を奏することができる。
以上、この発明の２つの実施形態について説明したが、この発明は、上述した各実施形態に限定されるものではない。たとえば、上述の実施形態において、ＩＣチップ６３は、送受信アンテナ６４のループ外に引き出された両端部に接続されているとしているが、図１０に示すように、送受信アンテナ６４のループ内に配置されて、このループ内に引き出された送受信アンテナ６４の両端に接続されてもよい。
【００４９】
また、上述の実施形態では、ＲＦＩＤシール６０（ＲＦＩＤシール８０）が、基板ケース５０に貼り付けられている場合を例にとったが、必ずしも基板ケース５０に貼り付けられている必要はなく、たとえば、図１１に示すように、基板ケース５０内に収容されているメイン制御基板９０の配線基板９１と、この配線基板９１上に実装されたＲＯＭ９２とに跨って貼り付けられてもよい。
【００５０】
さらに、基板ケース５０または図１１に示すＲＯＭ９２に貼り付けられるＲＦＩＤシール６０（ＲＦＩＤシール８０）は、１枚に限らず、複数枚であってもよい。この場合、複数枚のＲＦＩＤシール６０のうち、少なくとも１枚のＲＦＩＤシール６０がＲＯＭ９２に貼り付けられ、残りのＲＦＩＤシール６０が基板ケース５０に貼り付けられてもよい。
【００５１】
また、上述の実施形態では、ＲＦＩＤシール６０（ＲＦＩＤシール８０）に備えられた情報記憶部６３６はＲＯＭで構成されているとしたが、ＲＯＭ以外にも、ＷＯＲＭ（Write Once Read Many：１回だけ書込み可能)型のメモリが用いられてもよいし、ＥＰＲＯＭ（erasable programmable read only memory）などの書換え可能型メモリが用いられてもよい。さらに、ＲＯＭ、ＷＯＲＭおよび書換え可能型メモリは、その製造工程において、データ書き込み装置の出力端子にメモリ側の端子を接続してデータを書き込むタイプのものであってもよいし、ＲＦＩＤ方式でデータ書き込み装置からデータを書き込むことができるタイプのものであってもよい。
【００５２】
このＲＦＩＤ方式で書き込み可能なメモリが情報記憶部６３６に適用された場合は、ＲＦＩＤシール６０が基板ケース５０などに貼り付けられた後であっても、ＲＦＩＤ方式でデータ書き込み装置を用いて、情報記憶部６３６に第１照合データおよびセキュリティデータを書き込むことができる。
また、上述の実施形態において、ＲＦＩＤシール６０（ＲＦＩＤシール８０）とＲＦＩＤ検査機７０との間のデータ通信は、電波を用いて行われるとしたが、たとえばレーザビームのような光など、電波以外の電磁波がデータ通信に用いられてもよい。
【００５３】
さらに、上述の実施形態では、この発明がスロットマシンに適用された場合を例にとったが、この発明は、スロットマシン以外にも、たとえばパチンコ機などの遊技機に広く適用可能である。
その他、特許請求の範囲に記載された事項の範囲内で、種々の設計変更を施すことができる。
【図面の簡単な説明】
【図１】この発明の一実施形態に係る封印シールが適用されたスロットマシンの正面図である。
【図２】上記スロットマシンの機体本体の内部構成を示す正面図である。
【図３】基板ケースの構成を部分的に示す断面図である。
【図４】ＲＦＩＤシールの構成を示す平面図である。
【図５】ＲＦＩＤシールの断面図である。
【図６】ＲＦＩＤシールおよびＲＦＩＤ検査機の電気的な概略構成を概念的に示すブロック図である。
【図７】ＲＦＩＤシールの電気的な構成を示すブロック図である。
【図８】ＲＦＩＤ検査機に備えられたデータ判定部の電気的な構成を示すブロック図である。
【図９】この発明の他の実施形態に係るＲＦＩＤシールの構成を示す断面図である。
【図１０】ＲＦＩＤシールの変形例について説明するための平面図である。
【図１１】ＲＦＩＤシールの配置変更例について説明するための図解的な断面図である。
【符号の説明】
５０ 基板ケース
５１ ケース本体
５２ ケース蓋
６０ ＲＦＩＤシール（封印シール）
６１  シールフィルム
６２  第１粘着層（シールフィルムの粘着面）
６３  ＩＣチップ（データ保持装置）
６４  送受信アンテナ
６５  シート片
６６  第２粘着層（粘着層）
６７ 接続部分（接続部）
７０  ＲＦＩＤ検査機（所定の検査装置）
９０  メイン制御基板
９２  ＲＯＭ（実装素子）
【図１】
0003886294.tif 000002
【図２】
0003886294.tif 000003
【図３】
0003886294.tif 000004
【図４】
0003886294.tif 000005
【図５】
0003886294.tif 000006
【図６】
0003886294.tif 000007
【図７】
0003886294.tif 000008
【図８】
0003886294.tif 000009
【図９】
0003886294.tif 000010
【図１０】
0003886294.tif 000011
【図１１】
0003886294.tif 000012